(57)【要約】本発明のある特定の実施例は、ヘルスケア情報システムに用いるユーザーによるナビゲーションが可能なグラフィック文書を作成する方法であって、蓄積手段からグラフィック画像要素をインポートし、グラフィック画像要素を分解して複数のセグメントにし、複数のセグメントのうちの個々のセグメントと、包み込むグラフィック画像要素との間のリンクを確立してユーザーのナビゲーション命令に応答して包み込むグラフィック画像要素内のナビゲーションをサポートし、グラフィック画像要素セグメントを該セグメントに関連するテキストより成るオブジェクトとリンクさせるにあたり、ユーザーをサポートして文書を作成するステップより成る方法を提供する。この方法はまた、文書に名前を関連付け、ユーザー命令に応答して作成した文書を保存するステップを含むことができる。
2005521160.tif 000002
【特許請求の範囲】
【請求項１】
ヘルスケア情報システムに用いるユーザーによるナビゲーションが可能なグラフィック文書を作成する方法であって、
文章を作成し、
文書に名前を関連付け、
ユーザー命令に応答して作成した文書を保存するステップより成り、
文書の作成は、
蓄積手段からグラフィック画像要素をインポートし、
グラフィック画像要素を分解して複数のセグメントにし、
複数のセグメントのうちの個々のセグメントと、包み込むグラフィック画像要素との間のリンクを確立してユーザーのナビゲーション命令に応答して包み込むグラフィック画像要素内のナビゲーションをサポートし、
グラフィック画像要素セグメントを該セグメントに関連するテキストより成るオブジェクトとリンクさせるにあたり、ユーザーをサポートして行う文書作成方法。
【請求項２】
請求項１のステップを実行するにあたりユーザーをサポートする少なくとも１つの表示画像の発生を始動するステップをさらに含む請求項１の方法。
【請求項３】
（ａ）グラフィック画像要素セグメントの解剖学的特徴部分に関連する臨床名と、（ｂ）グラフィック画像要素セグメントの解剖学的特徴部分に関連する臨床属性と、（ｃ）グラフィック画像要素に関連する患者の患者識別子と、（ｄ）グラフィック画像要素に関連する患者の電子患者医療記録のうち少なくとも１つより成るオブジェクトにグラフィック画像要素セグメントをリンクさせるステップをさらに含む請求項１の方法。
【請求項４】
オブジェクトのテキストをグラフィック情報にリンクさせるステップをさらに含む請求項１の方法。
【請求項５】
グラフィック画像要素セグメントをオブジェクトにリンクさせる前記ステップは、オブジェクトの所定のリストを含むポップアップメニューから前記オブジェクトを選択することにより行う請求項３の方法。
【請求項６】
前記オブジェクトは、グラフィック画像要素セグメントに関連付けるためにユーザーにより入力されるデータの類別をサポートする請求項１の方法。
【請求項７】
作成した文章を（ａ）特定の患者及び（ｂ）特定のヘルスケアワーカーのうちの少なくとも１つに関連付け、
（ｉ）特定の患者及び（ｉｉ）特定のヘルスケアワーカーのうちの少なくとも１つに関連するデータを作成した文書に取り込むステップをさらに含む請求項１の方法。
【請求項８】
患者の状態の文書化をサポートする方法であって、
患者識別情報を受け、
ユーザーによるナビゲーションが可能なグラフィック文書の取り出しを始動し、
文書に名前を関連付け、
文書を更新して患者の状態を特定し、
更新した文書をユーザー命令に応答して患者記録に保存するステップより成り、
ユーザーによるナビゲーションが可能なグラフィック文書は、
グラフィック画像要素を蓄積手段からインポートし、
グラフィック画像要素を分解して複数のセグメントにし、
複数のセグメントのうちの個々のセグメントと、包み込むグラフィック画像要素との間のリンクを確立してユーザーナビゲーション命令に応答して包み込むグラフィック画像要素内のナビゲーションをサポートし、
グラフィック画像要素セグメントを該グラフィック画像要素セグメントに関連するテキストより成るオブジェクトとリンクさせることにより得られる、患者の状態の文書化をサポートする方法。
【請求項９】
ヘルスケア情報システムに用いるユーザーによるナビゲーションが可能なグラフィック文書を作成する方法であって、
第１のグラフィック解剖学的画像を蓄積手段から得、
第１のグラフィック解剖学的画像を複数の領域に分解し、
複数の領域のうちの第１の領域と、第２のグラフィック解剖学的画像との間のリンクを確立して第１の領域から第２のグラフィック解剖学的画像へのナビゲーションをユーザーナビゲーション命令に応答してサポートすることにより文書を作成するユーザーをサポートし、
第１の領域を解剖学的特徴部分に関連するリンク名と関連付け、
作成した文書を保存するステップより成る、ユーザーによるナビゲーションが可能なグラフィック文書を作成する方法。
【請求項１０】
第１の領域を第１のデータベースフィールドと関連付けて第１の領域に関するデータについての第１のデータベースに対する問い合わせをサポートすることにより、文書を作成するユーザーをさらにサポートするステップをさらに含む請求項９の方法。
【請求項１１】
第１の領域をデータベースフィールドと関連付けて第１の領域に関するデータのデータベースへの入力をサポートすることにより、文書を作成するユーザーをさらにサポートするステップをさらに含む請求項９の方法。
【請求項１２】
ユーザー命令に応答して第１の領域を表示することにより文書を作成するユーザーをさらにサポートするステップをさらに含む請求項９の方法。
【請求項１３】
（ａ）複数の領域、（ｂ）リンク、（ｃ）第２のグラフィック解剖学的画像、（ｄ）臨床名のうちの少なくとも１つをユーザー命令に応答して表示することにより、文書を作成するユーザーをさらにサポートするステップをさらに含む請求項９の方法。
【請求項１４】
（ａ）第１の領域の選択及び（ｂ）資源の利用を反映するデータベース入力のうちの１つを第１の領域に関連する資源の利用を特定する病院部門へのメッセージに関連付けることにより、文書を作成するユーザーをさらにサポートするステップをさらに含む請求項９の方法。
【請求項１５】
（ａ）ユーザーにより選択可能な通常の、あるいは異常な解剖学的部分及び（ｂ）ユーザーより選択可能な外科ツールのうちの少なくとも１つをユーザー命令に応答して第１の領域にオーバーレイすることにより、文書を作成するユーザーをさらにサポートするステップをさらに含む請求項９の方法。
【発明の詳細な説明】
【背景技術】
【０００１】
患者へのヘルスケアサービスの提供、推奨のヘルスケア及び提供されたヘルスケアの文書化、ヘルスケアサービスに対する請求の管理を改善するために、コンピュータシステムが使用されている。しかしながら、かかるヘルスケアコンピュータシステムのユーザーインターフェイスにはしばしば設計に問題があり、データを入力するユーザーは紙のフォームに対する馴染み易さから決別して新しいレイアウトを学ばなければならない。さらに、コンピュータによる伝統的なレイアウトはヘルスケアのワークフローの深い理解のもとに作られたものではなく、ヘルスケアのワークフローパターンが変更されると再設計するのが容易ではない。ワークフローの理解がこのように不十分なためデータの重複が起こり、最適条件下で必要とされるよりも多くの保存空間が必要となる。さらに、コンピュータによる伝統的なレイアウトが、特に種々の解剖学的システムの特徴部分間のナビゲーションをしばしば困難にしていることが判明している。このようにナビゲーション満足できるものではない問題があるため、ユーザーがレイアウト間を間違ってナビゲーションする際にネットワーク及び／またはプロセッサの帯域幅を不必要に無駄にすることがある。
【概要】
【０００２】
本発明のある特定の実施例は、ヘルスケア情報システムに用いるユーザーによるナビゲーションが可能なグラフィック文書を作成する方法であって、文章を作成し、文書に名前を関連付け、ユーザー命令に応答して作成した文書を保存するステップより成り、文書の作成は、蓄積手段からグラフィック画像要素をインポートし、グラフィック画像要素を分解して複数のセグメントにし、複数のセグメントのうちの個々のセグメントと、包み込むグラフィック画像要素との間のリンクを確立してユーザーのナビゲーション命令に応答して包み込むグラフィック画像要素内のナビゲーションをサポートし、グラフィック画像要素セグメントを該セグメントに関連するテキストより成るオブジェクトとリンクさせるにあたり、ユーザーをサポートして行う文書作成方法を提供する。
【実施例】
【０００３】
図１は、本発明の方法１０００の実施例を示す流れ図である。種々のステップを番号順に提示し、それらは矢印により本発明の方法１０００の実施例に連結されているが、これらのステップは任意特定の順序で、または任意特定の回数実行しなければならない、あるいは全てのステップを実行しなければならない、という一般的な要件は存在しない。任意のステップは自動的に、及び／または手動で行うことができる。また、任意のステップは本明細書で説明する他の任意の方法の任意のステップと組み合わせ、そして／またはそれに関連して実行することができる。  
【０００４】
ステップ１１００では、ヘルスケア管理に常用される紙のフォームのような伝統的な紙のフォームをスキャンする。その結果、スキャンプロセスで得られる画像は、フォーム蓄積手段に電子テンプレートフォームとして保存することができる。
【０００５】
ステップ１２００では、フォーム蓄積手段内の複数のテンプレートフォームから特定のテンプレートフォームを選択し、そのテンプレートフォームを表す画像を表示する（本明細書中に用いる用語「表示」は、例えば、ビジュアル及び／またはオーディオ手段、例えば、ディスプレイ、モニター、電子データ、眼球移植組織、スピーカー、移植蝸牛刺激装置などを介して人間に知覚可能な状態にすることである）。そうすると、ユーザーは興味のあるフォームの一部を選択し、興味のある部分にオーバーレイまたはアンダーレイするように見えるテンプレートデータフィールドを作成することによりフォームを修正することができる。例えば、グラフィッカルユーザーインターフェイスにより、ユーザーは、「電話番号」と呼ぶテンプレートデータフィールドを作成できるが、これは、選択ツールを用いて明らかにアンダーレイ画像の一部である電話番号「ボックス」の境界に少なくともほぼ対応する境界を有する選択矩形部分を描き、そして／または画定することにより行う。
【０００６】
ステップ１３００では、テンプレートフォームを、前のパラグラフで作成したフィールドのような選択テンプレートデータフィールドをユーザー選択オブジェクトにリンクすることにより、修正することができる。オブジェクトはオブジェクトのリストから選択可能である。オブジェクトのリストは前もって作成しても良い。オブジェクトを作成するにあたり、ユーザーはリストから関連のオブジェクトを選択し、その関連のオブジェクトを所望のオブジェクトの属性を反映するように修正した後、所望のオブジェクトに名前を付けて保存し、オブジェクトのリストを表示する時に所望のオブジェクトの名前が他のオブジェクトの名前と共に表示されるようにできる。保存するオブジェクトは、ローカルディレクトリ及び／またはデータベース及び／またはインターネット、イントラネット、公衆交換網、私設ネットワークなどのようなネットワークを介して接続されたドライヴ及び／またはデータベースのような遠隔のディレクトリ及び／またはデータベースに保存することができる。保存したオブジェクトへのリンクは、ハイパーリンク及び／またはＵＲＬのような任意形態のリンクでよい。
【０００７】
ある特定の実施例において、オブジェクトのリストを類別し、そして／またはオブジェクトの特定の類型を表示することができる。例えば、リストを「入院管理者」または「心臓ケア看護師」のようなヘルスケアワーカーの特定の役割及び／または肩書に関連付けることができる。別の例として、リストを、例えば、ヘルスケア施設への患者の入所または患者のための検査室でのテスト要求の実行、または患者への薬剤投与のような患者へのヘルスケアサービスを提供するにあたり実行すべき特定のアクションに関連付けることができる。従って、オブジェクトを、例えばワーカーの役割、ワーカーの肩書及び／またはヘルスケアのためのアクションなどを表す類型に割り当て、そのリストがその類型及び／または類別を反映させることができる。
【０００８】
ある特定の実施例において、ユーザーが選択するオブジェクトは、そのオブジェクトの名前、データタイプ、データ長及び／またはアクションを選択することにより作成可能である。オブジェクトは一旦作成されると保存できる。オブジェクトは、その作成前、作成中及び／または作成後にリストの他の項目に関連付けることができる。
【０００９】
ある特定の実施例において、ユーザーが選択したオブジェクトはデータをデータベースに入力するために利用可能である。例えば、「自宅電話番号」という表示のテンプレートデータフィールドを自宅電話番号のための患者データベースのフィールドにリンクすることができる。かくして、そのテンプレートを介してテンプレートデータフィールドに入力されたデータは、ヘルスケアワーカーの特定の役割及び／または肩書に、及び／または患者へのヘルスケアサービスの提供に当たり実行されたまたは実行される特定の活動に応じて１またはそれ以上のデータベースに転送することが可能である。
【００１０】
ある特定の実施例において、ユーザーが選択したオブジェクトは、ユーザーが選択したデータフィールドへのデータ入力を促すために使用される問い合わせを決定するために利用可能である。例えば、「自宅電話番号」という表示のデータフィールドでは、「市外局番を含む患者の自宅電話番号は？」と表示される問い合わせを表示することができる。別の例として、「患者の口腔温度」という表示のデータフィールドに、「患者の口腔温度は華氏で何度ですか？」という問い合わせを表示できる。ある特定の実施例において、ユーザーが選択したオブジェクトは、ユーザーにより選択されるデータフィールドに関連するデータの問い合わせを作成するために使用可能である。
【００１１】
ステップ１４００では、名前を、例えば、「新しい患者の入院フォーム」または「薬剤投与記録」のような改変フォームに関連付けることができる。ある特定の実施例において、その名前はユーザーに示唆される。ある特定の実施例において、ユーザーには名前が示唆される。ステップ１５００において、ユーザー命令に応答して、改変フォームをフォーム蓄積手段に保存することができる。
【００１２】
ある特定の実施例において、ユーザーが改変フォームを選択すると、そのフォームは特定の患者及び／または特定のヘルスケアワーカーに関連付けられる。従って、例えば、患者の識別情報が知られている場合、そのフォームの少なくとも一部は、選択された時に患者に関するデータが記入されている。同様に、ヘルスケアワーカーの識別情報が知られている場合、そのフォームの少なくとも一部はヘルスケアワーカーに関するデータが予め記入されている。あるいは、患者及び／またはヘルスケアワーカーの識別情報がフォームを開いた後に知られるようになった場合、適宜、そのフォームの少なくとも一部にその人間に関するデータが記入される。
【００１３】
図２は、本発明の方法２０００の実施例を示す流れ図である。種々のステップを番号順に提示し、それらは矢印により本発明の方法２０００の実施例に連結されているが、これらのステップは任意特定の順序で、または任意特定の回数実行しなければならない、あるいは全てのステップを実行しなければならない、という一般的な要件は存在しない。任意のステップは自動的に、及び／または手動で行うことができる。また、任意のステップは本明細書で説明する他の任意の方法の任意のステップと組み合わせ、そして／またはそれに関連して実行することができる。
【００１４】
ステップ２１００では、患者情報を受ける。かかる情報は、例えば、キーボードへの入力、音声による入力、患者リストからの選択、押しボタン式、電子メールメッセージに含まれるハイパーリンクの作動などを含む任意の手段により受けることができる。
【００１５】
ステップ２２００では、訪問スケジュールを決定するためのテンプレートフォームを取り出すことができる。テンプレートフォームは、例えば、グラフィカルユーザーインターフェイスによりユーザーが選択することが可能であり、そして／または訪問スケジュール決定ステップ及び／またはオブジェクトに関連付けることができる。
【００１６】
ステップ２３００では、ユーザーの選択に応答して、患者の訪問タイプ、訪問予約日時、サービス、及び／またはアクションを選択することができる。例えば、グラフィカルユーザーインターフェイスにより、患者の訪問タイプを、例えば、普通の健康診断、検査、テスト、相談、外来手続などを含むリストから選択することができる。訪問の予約日時は、例えば、カレンダー及び／または時計に似たグラフィカルユーザーインターフェイスから選択できる。サービス及び／またはアクションは、例えば、血圧測定、体重測定、血液サンプル採取、運動カウンセリング提供などを含むリストから選択できる。
【００１７】
ステップ２４００では、スケジュール決定フォームに、患者識別情報、患者の訪問タイプ、訪問予約日時、サービス及び／またはアクションのような既に得られた及び／または選択された情報を記入することができる。
【００１８】
ステップ２５００では、記入したスケジュール決定フォームを受け手のアプリケーションへ送ることにより、そのアプリケーションのユーザーは、例えば、グラフィカルユーザーインターフェイスにより患者の訪問スケジュールを決定することができる。
【００１９】
図３は、本発明の方法３０００の実施例を示す流れ図である。種々のステップを番号順に提示し、それらは矢印により本発明の方法３０００の実施例に連結されているが、これらのステップは任意特定の順序で、または任意特定の回数実行しなければならない、あるいは全てのステップを実行しなければならない、という一般的な要件は存在しない。任意のステップは自動的に、及び／または手動で行うことができる。また、任意のステップは本明細書で説明する他の任意の方法の任意のステップと組み合わせ、そして／またはそれに関連して実行することができる。
【００２０】
ステップ３１００では、解剖の学術論文または教科書で見られるような第１の解剖学的特徴部分を示す画像をスキャンすることができる。例えば、第１の解剖学的特長部分は人間の心臓である。スキャンプロセスにより発生される画像は、かかる画像ファイルの蓄積手段に第１の電子画像ファイルとして保存することができる。あるいは、第１の電子画像ファイルを、所望の第１の解剖学的特徴部分を切り取ることにより発生することができる。
【００２１】
ステップ３２００では、第１の画像ファイルを、「コピー」または「貼り付け」のルーチンを介するなどして電子文書内にインポートすることができる。あるいは、第１の画像ファイルそれ自身を電子文書として利用することができる。
【００２２】
ステップ３３００では、例えば、グラフィカルユーザーインターフェイスにより、電子文書を修正できるが、それは解剖学的特徴部分の画像を、例えば、選択されるセグメント、部分及び／または図に対応するオブジェクトを作成するなどして、複数のセグメント、部分及び／または解剖学的部分を示す図に分解することにより行える。例えば、解剖学的特徴部分が人体である場合、心臓のような人体の一部を、選択ツールにより人体の下層画像内に見える心臓の境界に少なくともほぼ対応する境界を有する選択多角形及び／または形状を描くか、画定することにより選択可能である。境界内のピクセル及び／または場所は、ユーザーがクリック及び／または選択して解剖学的特徴部分の選択した部分のリンクされたグラフィック画像のリンクされたオブジェクトの表示を作動する場所に対応する。境界により囲まれた領域に、名前を付け、他の境界のある領域と共にグループ化し、ブラウジングし、データベース要素にマッピングし、そして／またはそれ自身の画像にリンクすることができる。
【００２３】
別の例として、解剖学的特徴部分が心臓の筋肉それ自体に血液を与える動脈のような動脈系統及び／または副系統である場合、種々の動脈セグメントを選択して対応のオブジェクトを割り当てることができる。かくして、オブジェクトは、例えば、中間ＬＡＤまたは遠隔ＲＣＡに割り当てられる。オブジェクトは、隣接するセグメントオブジェクトから特性を引き継ぐことができる。従って、セグメントオブジェクトが上方遠隔ＲＣＡについて既に画定されていると仮定すると、そのオブジェクトの特性が中間遠隔ＲＣＡの新しく作成されたオブジェクトに与えられる。
【００２４】
ステップ３４００では、例えば、グラフィカルユーザーインターフェイスにより、第１の画像の一部及び／または図に関連するオブジェクトを第２の画像ファイルにリンクして、第１の画像から第２の画像へナビゲーションを可能にすることができる。例えば、人間の身体部分、器官、図及び／またはシステム、及び／または心臓コンポーネント、図、及び／またはサブシステムを表すオブジェクトの１またはそれ以上のリスト及び／またはポップアップメニューにより、人体に対応するオブジェクトを心臓の詳細な画像にリンクさせて、ユーザーが心臓の近くの人体の画像をクリックすると詳細画像にナビゲーションできるようにすることができる。
【００２５】
かくして、第２の画像を親である第１の画像の子供と考えることができる。親は多数の子供を有することがある。子供を多数の親に関連付けることができる。子供は、画像が表示されるウィンドウのサイズ、対応テキストのフォントなどのような１またはそれ以上の属性及び／または特性を引き継いだ親を特定する。同様に、親はその子供のデフォルト特性を特定する。ある特定の実施例では、子供はかかるデフォルト特性を無効にすることができる。ある特定の実施例では、子供はかかるデフォルト特性を無効にできない。
【００２６】
ある特定の実施例において、第１の画像は、オブジェクトが関連付けられ、そして／または第２の画像がリンクされる領域の標識を表示できる。かかる標識は、ホットスポット、マウスオーバー、及び／または領域のリストとして表示される。例えば、ユーザーがアイコンをクリックし、そして／または特定のキーボードの組み合わせを押圧すると、リンクされた全ての領域が明るい赤の境界で表示される。別の例として、ユーザーがある領域にわたってポインターを移動させると、その境界が赤色で表示され、そして／またはその領域のテキストラベルが現れ、そして／またはその領域と関連がある画像のアドレス及び／または名前が表示される。
【００２７】
ある特定の実施例において、子供は関連する各親の標識を表示できる。ある特定の実施例において、子供はその家系図にある１またはそれ以上の枝の標識を表示できる。即ち、祖父母の画像から親の画像へ、そして子供の画像へナビゲーションした結果として子供が表示された場合、そのナビゲーション経路が表示される。恐らく、ナビゲーション経路の表示は、興味のある画像へ迅速に戻れるようにする経路の各画像に関連するハイパーリンクを含む。逆に、任意の画像は所望の数の世代までのその子孫の表示を含むため、曾孫の画像のような特定の子孫へ迅速にナビゲーションすることができる。子孫の表示は、対応の子孫の名前及び／または各子孫の簡潔なプレビューを有する枝を備えたツリーの形である。
【００２８】
ステップ３５００では、名前を、第２の画像ファイルにリンクされたオブジェクトより成る改変電子文書に関連付けることができる。ステップ３６００では、改変電子文書を保存できる。ある特定の実施例において、改変電子文書の一部に名前を付け、そして／またはそれを保存できる。例えば、ユーザーは電子文書をグラフィック部分だけが特定の名前のファイルに保存されるように特定できる。別の例として、ユーザーは、電子文書のテキスト部分だけが保存されるように特定できる。別の例として、ユーザーは、電子文書のグラフィック部分とテキスト部分の両方を、データベース及び／または他の文書にリンクされる任意のオブジェクトなしに保存されるように特定できる。ある特定の実施例において、電子文書の簡潔なプレビューに、単独で、及び／または電子文書全体を含む電子文書の任意の部分と共に、名前を与え、そして／または保存することができる。
【００２９】
ある特定の実施例において、作成した文書、そして／または改変した文書を、例えば、特定の患者、特定のヘルスケア活動、特定の処置、及び／または特定のヘルスケアワーカーと関連付けることができる。ある特定の実施例において、関連付けられた患者、ヘルスケア活動、処置及び／またはヘルスケアワーカーに関するデータをその文書に含めることができる。
【００３０】
ある特定の実施例において、ステップ３３００乃至３４００は、第１の解剖学的特徴部分の別のセグメント、部分及び／または図について繰り返すことができる。従って、例えば、第１の解剖学的特徴部分の種々の部分を、例えば、頭部、脳、消化管、肺、尿管、血管などの詳細な図にリンクすることができる。
【００３１】
ある特定の実施例において、ステップ３１００乃至３６００は、開始ポイントとして第２の画像ファイルを用いて繰り返すことが可能である。例えば、人間の心臓の画像を提供する電子文書は、各々が心臓画像の異なる部分（例えば、心室、心臓動脈、心臓静脈などのような）をその部分の詳細画像にリンクさせるナビゲーション可能な関連のオブジェクトを有する。かかる詳細画像は親の画像を単に拡大したもの以上であり、その代わり、親の画像には見られないさらに別の詳細部分及び／またはオブジェクトを含むことができる。
【００３２】
かくして、例えば、人体の画像を表示する第１の電子文書を見るユーザーは、心臓の近くをクリックすることにより心臓の詳細画像にナビゲーション可能である。心臓の詳細画像が表示されると、ユーザーは左心室の領域をクリックして左心室の詳細画像を表示することができる。従って、方法３０００の実施例は、特注可能な対話式グラフィック文書を提供できる。
【００３３】
ある特定の実施例において、オブジェクトはデータベースのフィールドのような１またはそれ以上のデータベース要素にリンク及び／または関連付けることができる。例えば、グラフィック画像の所定の場所及び／または領域をクリックすると、データベース及び、恐らくそのデータベースの１またはそれ以上のフィールド内に含まれる復帰データに対する１またはそれ以上の問い合わせが作成される。ある特定の実施例において、オブジェクトを、クリックによるなどしてグラフィック画像の特定の場所及び／または領域を選択すると１またはそれ以上のデータベースの対応フィールドにデータを入力できるか入力されるように、画定することができる。データの入力は、キーボードから入力するか、クリックするか、身振りによるか、音声入力などを含む任意の手段を行える。データ入力は画定されたオブジェクトの性質及び／または一続きの前の事象により暗示することができる。
【００３４】
ある特定の実施例において、オブジェクトは、電子文書のある場所にリンクさせ、そして／または関連付けることができる。例えば、グラフィック画像の所定の場所及び／または領域をクリックすると、電子文書が開き、そして／またはその電子文書の所定の部分が表示される。例えば、人間の心臓の画像の左心室の画像をクリックすると、左心室に関する学術論文、報告または論文の１またはそれ以上のパラグラフを表示させることができる。ある特定の実施例において、かかるパラグラフを含む学術論文、報告及び／または論文のリストを表示させて、ユーザーが所望の情報源を選択し表示できるようにする。
【００３５】
ある特定の実施例において、表示された解剖学的特徴部分に関するテキスト情報を表示することができる。例えば、心臓に関連するテキスト情報を心臓の画像が表示された時に表示できる。かかる情報は、心臓の種々の領域の名称、測定値、データ、症状、観察結果、診断、勧告、治療計画、手術計画、介入計画、及び／または特定の患者の心臓、心臓領域及び／または心臓系統に関する治療後の経過予想を記述するものである。
【００３６】
種々の実施例において、テキスト情報をグラフィック画像内、その上、その近く、及び／またはその隣に表示することができる。ある特定の実施例において、テキスト情報を、その画像を含む電子文書を見ながら開閉できる別個のウィンドウ内のようにグラフィック情報とは独立に表示することができる。
【００３７】
ある特定の実施例において、グラフィック画像は他のグラフィック画像にオーバーレイして現れることがある。例えば、心臓の動脈図を示すグラフィック画像は、狭窄状態のための介入手段として処方及び／または移植されているステントの画像を含むことができる。動脈図と同時に、または動脈図に含まれるステントの画像をクリックすると表示される、ステントに関するテキスト情報は、例えば、その寸法、材質、特徴、製造会社、ブランド、形式、部品番号、移植法、移植日、移植場所、現在の場所などを表示する。
【００３８】
ある特定の実施例において、種々のツールを提供するグラフィックユーザーインターフェイスは、種々の形状、及び／または画像を、下層に見える画像ファイルの上に現れるように描き、そして／または配置するために提供される。例えば、心臓の動脈系統の画像が表示されると、種々のタイプのステントのオブジェクトを含むツールボックスが表示されるため、それを見る者はステントの画像を構成するオブジェクトを動脈画像の適当な場所に位置させることができる。ステントは下層の画像の１またはそれ以上の特定の場所に固定できる。例えば、ステントの両端部をその下層の動脈の所定の場所に固定することができる。
【００３９】
引き続きステントの例に関して、ある特定の実施例では、一例としてのステントのオブジェクトをステントに関連する種々のテキストデータにリンクさせることができる。例えば、ツールボックスからステントのオブジェクトを選択すると、ユーザーはステントのタイプ、及び／または製造会社のリストの提示により、所望のステントの種類及び／または製造会社について問い合わせを受ける。ある特定の実施例において、ユーザーは特定の状況に対して適切な、ステントに関する多くの、または少ない情報を特定することができるが、後で追加的な、そして／または異なる情報を特定するオプションもある。
【００４０】
ある特定の実施例において、ステントのようなオブジェクトの選択を器材在庫データベースのような１またはそれ以上のデータベースにリンクさせることができる。従って、オブジェクトを選択すると、恐らく、選択した電子オブジェクトに対応する１またはそれ以上の物理的な対象物が使用され、消費され、そして／または在庫から除去され、在庫を補充するためにその物理的な対象物の再注文を開始できることが示される。同様に、オブジェクトを選択すると、ある特定の処置が行われるかもしれないか、または行われるかが示され、それにより、実行すべきある特定の物理的タスクが決定される。例えば、ステントを選択するとそのステントが移植されたことが示されるが、これは種々の外科ツールが使用され、それらの外科ツールが殺菌のために洗浄施設にまもなく到着すると予想すべきであることを暗示する。かかる情報は洗浄施設での活動の管理を支援することができる。
【００４１】
表示された解剖学的特徴部分により、そして／またはそれに対応して、他のオブジェクトを、下層の画像を特定の患者の状況をよりよく反映させるように、パレットまたはツールボックス上に提供することができる。かかるオブジェクトは、解剖学的変種（例えば、傾いた膀胱、拡張状態の心室、筋萎縮、骨粗しょう症）、解剖学的損傷（肺陥没、骨折、半月板断裂、瘢痕組織など）、解剖学的疾患（例えば、肝硬変、潰瘍、動脈閉塞など）、及び／または外科的方法及び／または診断方法（例えば、盲腸炎手術、腹腔鏡検査法、内視鏡検査など）を含む。例えば、普通の状態の盲腸が付いた結腸の画像と、炎症状態の盲腸が付いた結腸の画像とを重ねたオブジェクトを選択できる。別の例として、普通の状態の盲腸が付いた結腸の画像と、盲腸が摘出された結腸の画像とを重ねるオブジェクトを選択できる。さらに別の例として、下層の結腸の形状に一致するように操作される内視鏡の画像を与えるオブジェクトを選択することができる。
【００４２】
図４は、本発明の方法４０００の一実施例を示す流れ図である。種々のステップを番号順に提示し、それらは矢印により本発明の方法４０００の実施例に連結されているが、これらのステップは任意特定の順序で、または任意特定の回数実行しなければならない、あるいは全てのステップを実行しなければならない、という一般的な要件は存在しない。任意のステップは自動的に、及び／または手動で行うことができる。また、任意のステップは本明細書で説明する他の任意の方法の任意のステップと組み合わせ、そして／またはそれに関連して実行することができる。
【００４３】
ステップ４１００では、ユーザーが患者識別情報を受けて、グラフィカルユーザーインターフェイスのようなコンピュータインターフェイスに入力する。あるいは、患者識別情報をコンピュータシステムが受ける。
【００４４】
ステップ４２００では、ナビゲーション可能なグラフィック文書を取り出し、ユーザーに表示する。かかる文書は、方法３０００を含む任意適当な方法を用いて作成可能である。
【００４５】
ステップ４３００では、例えば、グラフィカルユーザーインターフェイスにより、ユーザーによるナビゲーションが可能なグラフィック文書を、測定値、データ、観察結果、診断結果、勧告、治療計画、外科手術計画、介入計画及び／または治療後の経過を含む患者の状態を反映するように更新することができる。ある特定の実施例において、その文書は、特定のヘルスケア活動、特定の処置、及び／または特定のヘルスケアワーカーに関するデータを含む。
【００４６】
ステップ４４００では、ユーザー命令に応答して、及び／または自動的に、更新した文書が患者の医療記録に関連して保存される。
【００４７】
図５は、本発明のシステム５０００の一実施例を示すブロック図である。最初に、当業者は、方法１０００、２０００、３０００及び／または４０００の任意のものの説明に基づき多種多様な周知のアーキテクチャー、ハードウェア、プロトコル、及び／またはソフトウェアのうちの任意のものを用いるシステム５０００により方法１０００、２０００、３０００及び／または４０００のうち任意のものの機能を実現できると言って十分であろう。従って、システム５０００の以下の説明は例示のためであり、特に断らない限り、方法１０００、２０００、３０００及び／または４０００のうちの任意のものの実現、及び／または本願の任意の請求項の範囲を制限するものと解釈すべきではない。
【００４８】
システム５０００は、ネットワーク５４００を介して相互に接続される１またはそれ以上の情報装置５１００、５２００、５３００より成る。情報装置５１００、５２００、５３００のうちの任意のものは、それに結合された任意の数のデータベースを持つことができる。例えば、情報装置５１００はデータベース５１２０及び５２４０に結合され、そして／またはそれらのホストとして働き、情報装置５２００はデータベース５２２０に結合され、そして／またはそのホストとして働き、情報装置５３００はデータベース５３２０及び５３４０に結合され、そして／またはそれらのホストとして働くことができる。さらに、任意の情報装置は他の任意の情報装置へのブリッジ、ゲートウェイ、及び／またはそのデータベースのサーバーとして働くことができる。従って、例えば、情報装置５１００は情報装置５３００を介してデータベース５３２０にアクセスできる。
【００４９】
スキャナー５１６０は、任意の情報装置５１００、５２００、５３００に結合可能である。ネットワーク５４００は、例えば、パケット交換、コネクションレス、ＩＰ、インターネット、イントラネット、ＬＡＮ、ＷＡＮ、コネクション式、交換、及び／または電話ネットワークを含む任意タイプの通信ネットワークでよい。  
【００５０】
図６は、本発明の情報装置６０００の一実施例を示すブロック図である。情報装置６０００は、図５の情報装置５１００、５２００、５３００のうちの任意のものを代表する。ある特定の実施例において、情報装置６０００は、パソコン、ワークステーション、サーバー、ミニコンピュータ、メインフレーム、スーパーコンピュータ、ラップトップ、及び／またはパーソナルデジタルアシスタント（ＰＤＡ）など、プログラムされたマイクロプロセッサまたはマイクロコントローラ、及び／または周辺装置の集積回路素子、ＡＳＩＣまたは他の集積回路、個別要素回路のようなハードウェア、電子論理回路、及び／またはＰＬＤ、ＰＬＡ、ＦＰＧＡまたはＰＡＬのようなプログラム可能論理デバイスなどのような汎用または特殊目的コンピュータ上で実現可能である。一般的に、上述した方法の少なくとも一部を実現可能な有限状態マシーンが常駐する任意の装置を情報装置６０００として用いることができる。
【００５１】
情報装置６０００は、１またはそれ以上の通信インターフェイス６１００、１またはそれ以上のプロセッサ６２００、命令６４００を含む１またはそれ以上のメモリ６３００、及び／または１またはそれ以上の入出力（Ｉ／Ｏ）装置６５００などのような周知のコンポーネントを含むことができる。
【００５２】
種々の実施例において、通信インターフェイス６１００は、バス、コネクタ、ネットワークアダプタ、無線ネットワークインターフェイス、有線ネットワークインターフェイス、モデム、無線受信機、トランシーバ及び／またはアンテナなどでよく、そして／またはそれらを含むことができる。
【００５３】
各プロセッサ６２００は、市販の汎用マイクロプロセッサでよい。ある特定の実施例において、このプロセッサは、本発明の実施例による方法の少なくとも一部をそのハードウェア及び／またはファームウェアで実現するように設計された用途特定集積回路（ＡＳＩＣ）またはフィールドプログラマブルゲートアレイ（ＳＰＧＡ）でよい。
【００５４】
メモリ６３００は、プロセッサ６２００に結合され、ハードディスク、ランダムアクセスメモリ（ＲＡＭ）、リードオンリーメモリ（ＲＯＭ）、フラッシュメモリ、コンパクトディスク、デジタルバーサタイルディスク（ＤＶＤ）、磁気テープ、フロッピーディスク及びその任意の組み合わせのような、アナログまたはデジタル情報を保存できる任意の装置により構成できる。メモリ６３００はまた、データベース、アーカイブ及び／または保存された任意のデータ及び／または命令により構成できる。例えば、メモリ６３００は、本発明の方法の１またはそれ以上のステップに従ってプロセッサ６２００により実行される命令６４００を保存する。
【００５５】
命令６４００はソフトウェアで実現され、それらは例えば、Microsoft Corporation of Redmond, WashingtonのVisual Basicを含む当業者に良く知られた任意多数の形態をとることができる。命令６４００は、情報装置６０００及び／またはそれに結合された１またはそれ以上の他の装置、システムまたはサブシステムの動作を制御することができる。
【００５６】
入出力装置６５００は、例えば、モニター、ディスプレイ、インジケータ、ライト、キーボード、キーパッド、タッチパッド、ポインティングデバイス、マイクロフォン、スピーカー、電話、ファックス、ビデオカメラ、カメラ、スキャナー、及び／またはプリンタを含みＩ／Ｏ装置を固着、接続及び／または結合することのできるポートを備えたオーディオ及び／またはビジュアル装置でよい。
【００５７】
図７は、本発明のユーザーインターフェイス７０００の実施例を示す。ユーザーインターフェイス７０００は、新しい患者の医療記録ファイルを作成するために使用される新しい患者データフォームのような、スキャンされたヘルスケアフォームの画像７０１０を表示する。画像７０１０は、ヘルスケアサービス提供者のロゴ７１００、フォームのタイトル及びラストネームのフィールド７３１０、ファーストネームのフィールド７３２０、ミドルネームのフィールド７３３０、社会保険番号のフィールド７３４０、住所の街路名のフィールド７３５０、都市名のフィールド７３６０、州名のフィールド７３７０、郵便番号のフィールド７３８０、及び／または自宅電話番号のフィールド７３９０の種々のフィールド７３００を含む。
【００５８】
図８は、本発明のユーザーインターフェイス８０００の実施例を示す。ユーザーインターフェイス８０００は、図７の画像７０１０を含む電子文書に関連付けられるオブジェクトを作成し、特定し、及び／または操作するための種々のツールまたは制御装置を含むツールボックス、ウィンドウまたはパレット８１００の画像を表示する。この制御装置は、ラベル（Ｌ）８２５０、テキストボックス（ＴＢ）８２００、コンボボックス（ＣＢ）８３５０、リストボックス（ＬＢ）８３００、リンク画像８４００、オブジェクト特性８５００、オブジェクト基準８６００を作成するツールを含む。保存ツール８７００も文書の保存命令を出すために設けることができる。
【００５９】
テンプレートを作成するために、ユーザーは、「テンプレート」メニューから「新しいテンプレート」を選択することができる。ツールボックス８１００から、ユーザーは所望の制御子をクリックし、それを新しいテンプレート上の場所にドラッグしてその新しいテンプレートにその制御子を作用させる。
【００６０】
ユーザーは、選択した制御子及び／またはテンプレートの特性を所望の如く変更できる。例えば、ユーザーは、制御子の外観、背景カラー、背景スタイル、境界スタイル、前景カラー、フォント、フォントスタイル、フォントサイズ、位置合わせ、ライン間隔、インデント、最大データ長、認証、問い合わせ、カーソルタイプ、ポインタータイプ、オートサイジング、位置、及び／または寸法などを特定できる。制御子はデータベースのフィールドに関連付けることができる。制御子を介するデータ入力は、問い合わせにより促される。制御子を介するデータ入力は認証可能である。データベースのサーチは、１またはそれ以上の制御子を介して入力された１またはそれ以上の問い合わせを用いて行うことができる。
【００６１】
別例として、ユーザーは、テンプレートの名前、始動時の挙動、アクセスコントロール、パスワード、ウィンドウタイプ、ウィンドウ位置、水平寸法、垂直寸法、データ入力の順序、タブの順序、ページのブレイク、ヘッダー、フッターなどを特定できる。
【００６２】
テンプレートは、テンプレートのカテゴリー及び／またはグループに関連付けることができる。例えば、ＥＫＧテンプレートは、心臓病テンプレートのカテゴリー、グループ、フォルダ及び／またはサブディレクトリに関連付けられる。例えば、テンプレートブラウザを介してテンプレートを、１つのカテゴリー及び／またはグループから別のカテゴリー及び／またはグループへ移動させ、開き、名前を変更し、修正し、及び／または削除することができる。さらに、例えば、テンプレートブラウザにより１またはそれ以上のテンプレート及び／またはテンプレートのグループのアクセス制御を特定できる。
【００６３】
図９は、本発明のユーザーインターフェイス９０００の実施例を示す。ユーザーインターフェイス９０００は、図７のスキャンされたフォーム画像７０１０の「上に」図８のツールボックス８１００からの制御子を用いて作成されたテンプレートオブジェクトＡ９１００のようなオブジェクトを表示する。
【００６４】
図１０は、本発明のユーザーインターフェイス１００００の実施例を示す。ユーザーインターフェイス１００００は、テンプレートオブジェクトＡ、Ｂ及びＣのようなオブジェクトのリスト１１０００を表示する。さらに、ユーザーインターフェイス１００００は、オブジェクト名１０３００、関連のデータベースフィールド１０４００、及び／またはデータタイプ１０５００（例えば、文字、長さが可変の文字、整数及び／またはブールなど）のような、リスト１０１００から選択されたオブジェクトに関する情報１０２００を表示する。
【００６５】
図１１は、本発明のユーザーインターフェイス１１０００の一実施例を示す。ユーザーインターフェイス１１０００は、テキスト情報１１１００及び／または、例えば、人体の画像である解剖学的特徴部分の画像のようなグラフィック情報１１２００を表示できる。テキスト情報１１１００は、例えば、グラフィック情報１１２００を介するナビゲーション経路を特定できる。
【００６６】
図１２は、本発明のユーザーインターフェイス１２０００の実施例を示す。ユーザーインターフェイス１２０００は、グラフィック情報１２２００にオーバーレイされ、そして／またはリンクされたテキスト情報１２１００を表示できる。例えば、ユーザーインターフェイス１２０００は、その領域に記述テキスト情報１２１００により表示を付すことが可能な人間の心臓のグラフィック画像１２２００を提供できる。グラフィック情報１２２００（左心室領域のような）及び／またはテキスト情報１２１００（左心室の標識のような）の任意の部分は、詳細な画像及び／またはその特定の部分に対応するテキスト情報にハイパーリンクすることができる。
【００６７】
かかる詳細画像及びテキスト情報の一例を図１３に示すが、この図は本発明のユーザーインターフェイス１３０００の一実施例である。ユーザーインターフェイス１３０００は、人間の心臓の動脈系統の少なくとも一部の画像のようなグラフィック情報１３２００を含む。さらに、ユーザーインターフェイス１３０００は、その動脈系統の種々のコンポーネントのテキスト表示（例えば、ＲＣＡ（右総腸骨動脈）及びＣｘ（回旋冠状動脈））の種々のコンポーネントのテキスト表示のようなテキスト情報１３１００を含む。さらに、テキスト情報１３１００は、ナビゲーションテキスト情報及び／または表記情報も含む。
【００６８】
図１４は、本発明のユーザーインターフェイス１４０００の実施例を示す。ユーザーインターフェイス１４０００は、テキスト情報１４１００及び／またはグラフィック情報１４２００を表示する。テキスト情報１４１００は、例えば、解剖学的コンポーネント及び／または特徴部分に関する観察結果、注釈、測定値、データ、考察及び／または勧告１４１１０、解剖学的コンポーネント及び／または特徴部分の調査資料１４１２０、診断結果１４１３０、介入及び／または治療計画１４１４０、内部介入及び／または内部治療状態、介入後及び／または治療後状況１４１５０を伝えることができる。グラフィック情報１４２００は、問題の解剖学的コンポーネント及び／または特徴部分の画像１４２１０のような画像より成り、ステント１４２２０及び／またはテキスト情報１４１６０のような別のグラフィック情報を含むことがある。
【００６９】
図１５は、本発明のユーザーインターフェイス１５０００の実施例を示す。ユーザーインターフェイス１５０００は、テキスト情報１５１００及び／またはグラフィック情報１５２００を表示する。テキスト情報１５１００及び／またはグラフィック情報１５２００は、例えば、解剖学的コンポーネント及び／または特徴部分に関する観察結果、注釈、測定値、データ、考察及び／または勧告、解剖学的コンポーネント及び／または特徴部分の調査資料、診断結果、介入及び／または治療計画、内部介入及び／または内部治療状態、介入後及び／または治療後状況を伝えることができる。グラフィック情報１５２００は、問題の解剖学的コンポーネント及び／または特徴部分の画像、外科的処置及び／または医療装置（ステントのような）のような画像より成る。
【００７０】
本発明を特定の実施例に関連して説明したが、多数の変形例及び設計変更並びにさらに別の実施例が可能であり、従って、それらの変形例、設計変更及び実施例は本発明の思想及び範囲内にあると考えるべきであることを理解されたい。従って、添付図面及び上記説明は例示のためであって、限定の意図はないと考えるべきである。
【図面の簡単な説明】
【００７１】
【図１】本発明の方法１０００の実施例を示す流れ図である。
【図２】本発明の方法２０００の実施例を示す流れ図である。
【図３】本発明の方法３０００の実施例を示す流れ図である。
【図４】本発明の方法４０００の実施例を示す流れ図である。
【図５】本発明のシステム５０００の実施例を示すブロック図である。
【図６】本発明の情報装置６０００の実施例を示すブロック図である。
【図７】本発明のユーザーインターフェイス７０００の実施例を示す。
【図８】本発明のユーザーインターフェイス８０００の実施例を示す。
【図９】本発明のユーザーインターフェイス９０００の実施例を示す。
【図１０】本発明のユーザーインターフェイス１００００の実施例を示す。
【図１１】本発明のユーザーインターフェイス１１０００の実施例を示す。
【図１２】本発明のユーザーインターフェイス１２０００の実施例を示す。
【図１３】本発明のユーザーインターフェイス１３０００の実施例を示す。
【図１４】本発明のユーザーインターフェイス１４０００の実施例を示す。
【図１５】本発明のユーザーインターフェイス１５０００の実施例を示す。
【図１】
2005521160.tif 000003
【図２】
2005521160.tif 000004
【図３】
2005521160.tif 000005
【図４】
2005521160.tif 000006
【図５】
2005521160.tif 000007
【図６】
2005521160.tif 000008
【図７】
2005521160.tif 000009
【図８】
2005521160.tif 000010
【図９】
2005521160.tif 000011
【図１０】
2005521160.tif 000012
【図１１】
2005521160.tif 000013
【図１２】
2005521160.tif 000014
【図１３】
2005521160.tif 000015
【図１４】
2005521160.tif 000016
【図１５】
2005521160.tif 000017
【国際調査報告】
2005521160.tif 000018
2005521160.tif 000019
2005521160.tif 000020